(57)【要約】【課題】コストを低く抑えることができ、キートップ等の形状が簡単なキースイッチを提供する。【解決手段】キートップ１６ａが押下されると、櫛歯１５ａの支点Ｃ近傍部分が撓んで、櫛歯１５ａの先端近傍が下降し、櫛歯１５ａの先端近傍が椀状導体部材１１を押圧し、椀状導体部材１１が変形して、椀状導体部材１１の中央部が回路基板１３の導電パターンに接触し、これによりキースイッチ１としての役目が果たされる。また、キートップ１６ａが開放されると、椀状導体部材１１の弾性によりその形状が復帰し、これに伴って櫛歯１５ａの先端近傍が上昇し、キートップ１６ａも上昇して元の状態に戻る。【選択図】図７
2004214163.tif 000002
【特許請求の範囲】
【請求項１】
複数の椀状導体部材を載せた回路基板、各櫛歯部材を有する櫛歯状シート、及び各キートップを有するキートップシートを少なくとも重ねて、キートップシートの各キートップを各椀状導体部材上方に配置し、櫛歯状シートの各櫛歯部材を各椀状導体部材と各キートップ間に介在させたことを特徴とするキースイッチ。
【請求項２】
各キートップの外周に沿うそれぞれのスリットをキートップシートに形成し、各キートップが突出する孔を有するカバーシートをキートップシートに被せ、各スリットをカバーシートにより覆ったことを特徴とする請求項１に記載のキースイッチ。
【請求項３】
キートップシートの各スリットの幅は、スリットの対向する一対の辺が接触しない様に広くされたことを特徴とする請求項２に記載のキースイッチ。
【請求項４】
キートップシートを透明なものとし、キートップシートの裏面に印刷を施し、キートップシートの裏面に保護シートを貼り付けたことを特徴とする請求項１に記載のキースイッチ。
【請求項５】
回路基板がフレキシブルプリント基板であって、フレキシブルプリント基板の裏面に剛体板を貼り付けたことを特徴とする請求項１に記載のキースイッチ。
【請求項６】
複数の椀状導体部材を載せた回路基板、各櫛歯部材を有する櫛歯状シート、各硬質スペーサ、及び各キートップを有するキートップシートを少なくとも重ねて、キートップシートの各キートップを各椀状導体部材上方に配置し、櫛歯状シートの各櫛歯部材及び各硬質スペーサを相互に重ね合わせて各椀状導体部材と各キートップ間に介在させたことを特徴とするキースイッチ。
【請求項７】
複数の椀状導体部材を載せた回路基板、各櫛歯部材を有する櫛歯状シート、及び各キートップを有するキートップシートを少なくとも重ねて、キートップシートの各キートップを各椀状導体部材上方に配置し、櫛歯状シートの各櫛歯部材を各椀状導体部材と各キートップ間に介在させており、
櫛歯状シートの各櫛歯部材は、各椀状導体部材に当接するそれぞれの突起を有することを特徴とするキースイッチ。
【請求項８】
複数の椀状導体部材を載せた回路基板、及び各キートップを有するキートップシートを少なくとも重ねて、キートップシートの各キートップを各椀状導体部材上方に配置し、キートップシートの各キートップ裏面に、各椀状導体部材に当接するそれぞれの突起を貼り付けたことを特徴とするキースイッチ。
【請求項９】
複数の椀状導体部材を載せた回路基板、キートップシート、及びそれぞれの突起を裏面に有する各キートップを少なくとも重ねて、各キートップをキートップシートを介在させて各椀状導体部材上方に配置し、各キートップ裏面の突起をキートップシートのそれぞれの孔を通じて各椀状導体部材に当接させたことを特徴とするキースイッチ。
【請求項１０】
各キートップの外周に沿うそれぞれのスリットをキートップシートに形成し、各キートップが突出する孔を有するカバーシートをキートップシートに被せ、各スリットをカバーシートにより覆ったことを特徴とする請求項６乃至９のいずれかに記載のキースイッチ。
【発明の詳細な説明】
【０００１】
【発明の属する技術分野】
本発明は、各種の電子機器において入力装置として用いられるキースイッチに関する。
【０００２】
【従来の技術】
この種の従来のキースイッチとしては、例えば図１４及び図１５に示す様なものがあった。このキースイッチでは、椀状導体部材１０１を固定シート１０２に貼り付けて固定し、固定シート１０２を回路基板１０３に重ね合わせて、椀状導体部材１０１を回路基板１０３上に載せ、スペーサ１０４を回路基板１０３上で椀状導体部材１０１の周囲に配置し、その上に押圧シート１０５及びキートップシート１０６を重ね合わせている。
【０００３】
押圧シート１０５は、その裏面に突起１０５ａを有し、この突起１０５ａの外周にスリット１０５ｂを形成したものである。キートップシート１０６のキートップ１０６ａが押下されると、押圧シート１０５のスリット１０５ｂの内側部分が下降し、押圧シート１０５の突起１０５ａが椀状導体部材１０１を押圧し、椀状導体部材１０１が変形して、椀状導体部材１０１の中央部が回路基板１０３の導電パターンに接触する。
【０００４】
押圧シート１０５のスリット１０５ｂを省略しても構わないが、このスリット１０５ｂを形成しておけば、キートップ１０６ａを操作するときの抵抗感が弱まり、操作性（クリック感）が向上する。
【０００５】
また、特許文献１には、椀状導体部材を回路基板に載せ、椀状導体部材の上方にキートップを配置し、椀状導体部材とキートップ間に保護シートを介在させておき、キートップが押下されると、キートップが保護シートを介して椀状導体部材を押圧し、椀状導体部材が変形して、椀状導体部材の中央部が回路基板の導電パターンに接触するという技術が開示されている。
【０００６】
ここでも、キートップの外周に沿うスリットを保護シートに形成して、キートップの操作性（クリック感）を向上させている。
【０００７】
【特許文献１】
実公平５−２６６６３号公報
【０００８】
【発明が解決しようとする課題】
ところで、図１４及び図１５に示す従来のキースイッチの場合は、押圧シート１０５裏面の突起１０５ａを形成するために、グラビア成形によりシート部材を成形加工する必要があり、このグラビア成形に用いられる金型が非常に高価であって、コストが高くなるという問題があった。
【０００９】
また、キートップ１０６ａが合成樹脂製であることから、キートップ１０６ａを薄化もしくは大型化すると、キートップ１０６ａの押下のときに、キートップ１０６ａが変形し易くなり、キートップ１０６ａの操作性（クリック感）が損なわれた。特に、キートップ１０６ａの周縁部を押下したときには、キートップ１０６ａが大きく変形して、キートップ１０６ａの力が椀状導体部材１０１の中央部にかかり難くなり、キートップ１０６ａの操作性（クリック感）が損なわれた。
【００１０】
また、特許文献１のキースイッチの場合は、キートップそのものが椀状導体部材を押圧するため、キートップの形状が複雑化するという問題があった。
【００１１】
そこで、本発明は、上記従来の問題点に鑑みてなされたものであり、コストを低く抑えることができ、操作性が良好であって、キートップ等の形状が簡単なキースイッチを提供することを目的とする。
【００１２】
【課題を解決するための手段】
上記課題を解決するために本発明のキースイッチは、複数の椀状導体部材を載せた回路基板、各櫛歯部材を有する櫛歯状シート、及び各キートップを有するキートップシートを少なくとも重ねて、キートップシートの各キートップを各椀状導体部材上方に配置し、櫛歯状シートの各櫛歯部材を各椀状導体部材と各キートップ間に介在させている。
【００１３】
この様な構成の本発明によれば、櫛歯状シートの各櫛歯部材を各椀状導体部材と各キートップ間に介在させている。このため、キートップが押下されると、キートップが櫛歯部材を介して椀状導体部材を押圧することになり、これにより椀状導体部材が変形して、椀状導体部材の中央部が回路基板の導電パターンに接触する。キートップは、その裏面が平面状であっても良い。従って、キートップシート及びキートップの形状が複雑化することはない。また、櫛歯状シートは、各櫛歯部材を有するものであって、安価な打ち抜き金型により打ち抜き成形することができる。このため、コストの低減を図ることができる。
【００１４】
また、本発明においては、各キートップの外周に沿うそれぞれのスリットをキートップシートに形成し、各キートップが突出する孔を有するカバーシートをキートップ板に被せ、各スリットをカバーシートにより覆っている。
【００１５】
各キートップの外周に沿うそれぞれのスリットをキートップシートに形成しておけば、キートップが押下されたときに、キートップを含むスリットの内側部分のみが下降し、キートップを操作するときの抵抗感が弱まり、操作性（クリック感）が向上する。仮に、キートップの外周に沿うスリットがなければ、キートップが押下されたときに、キートップを中心とする広い範囲でキートップシートが沈み込んでしまい、キートップの操作性が悪くなるばかりではなく、外観上好ましくない。また、各スリットをカバーシートにより覆っているために、外観の品位を向上させることができる。
【００１６】
更に、本発明においては、キートップシートの各スリットの幅は、スリットの対向する一対の辺が接触しない様に広くされている。
【００１７】
この様にスリットの対向する一対の辺が接触しない程度にスリットの幅を広げておけば、キートップの操作時に、キートップを含むスリットの内側部分が上下動しても、スリットの対向する一対の辺が擦れ合わず、異常音の発生を防止することができる。
【００１８】
また、本発明においては、キートップシートを透明なものとし、キートップシートの裏面に印刷を施し、キートップシートの裏面に保護シートを貼り付けている。
【００１９】
この様に透明なキートップシートの裏面に印刷を施せば、キートップの種類等を表示することができ、外観の品位を向上させることができる。また、キートップシートの裏面に保護シートを貼り付けておけば、キートップが保護シート及び櫛歯部材を介して椀状導体部材を押圧することになり、キートップシート裏面が櫛歯部材に直接当接せず、キートップシート裏面の印刷を保護することができる。
【００２０】
また、適度のクッション性を有す粘着材料により保護シートを貼り付けることにより、キートップを押圧することによる印刷内容の変形やキートップシート下部部材の押痕が印刷層を介し外観に現れる現象を回避することができる。
【００２１】
更に、本発明においては、回路基板がフレキシブルプリント基板であって、フレキシブルプリント基板の裏面に剛体板を貼り付けている。
【００２２】
一般に、回路基板の剛性を格別に高くしておらず、椀状導体部材の押圧に際しては、回路基板そのものが変形することが多い。そこで、フレキシブルプリント基板の裏面に剛体板を貼り付けて、回路基板そのものの剛性を高くしている。
【００２３】
一方、本発明のキースイッチは、複数の椀状導体部材を載せた回路基板、各櫛歯部材を有する櫛歯状シート、各硬質スペーサ、及び各キートップを有するキートップシートを少なくとも重ねて、キートップシートの各キートップを各椀状導体部材上方に配置し、櫛歯状シートの各櫛歯部材及び各硬質スペーサを相互に重ね合わせて各椀状導体部材と各キートップ間に介在させている。
【００２４】
この様な構成の本発明によれば、櫛歯状シートの各櫛歯部材及び各硬質スペーサを相互に重ね合わせて各椀状導体部材と各キートップ間に介在させている。従って、キートップが押下されると、キートップが硬質スペーサ及び櫛歯部材を介して椀状導体部材に押圧される。硬質スペーサは、変形し難いため、キートップからの押下の力を受けると、この力を櫛歯部材を介して椀状導体部材へと確実に伝達し、椀状導体部材を確実に変形させる。これにより、良好な操作性を達成することができる。
【００２５】
また、本発明のキースイッチは、複数の椀状導体部材を載せた回路基板、各櫛歯部材を有する櫛歯状シート、及び各キートップを有するキートップシートを少なくとも重ねて、キートップシートの各キートップを各椀状導体部材上方に配置し、櫛歯状シートの各櫛歯部材を各椀状導体部材と各キートップ間に介在させており、櫛歯状シートの各櫛歯部材は、各椀状導体部材に当接するそれぞれの突起を有している。
【００２６】
あるいは、本発明のキースイッチは、複数の椀状導体部材を載せた回路基板、及び各キートップを有するキートップシートを少なくとも重ねて、キートップシートの各キートップを各椀状導体部材上方に配置し、キートップシートの各キートップ裏面に、各椀状導体部材に当接するそれぞれの突起を貼り付けている。
【００２７】
また、本発明のキースイッチは、複数の椀状導体部材を載せた回路基板、キートップシート、及びそれぞれの突起を裏面に有する各キートップを少なくとも重ねて、各キートップをキートップシートを介在させて各椀状導体部材上方に配置し、各キートップ裏面の突起をキートップシートのそれぞれの孔を通じて各椀状導体部材に当接させている。
【００２８】
この様な本発明においては、キートップが押下されると、キートップが櫛歯部材の突起を介して椀状導体部材を押圧したり、キートップが該キートップ裏面の突起を介して椀状導体部材を押圧したりするので、椀状導体部材を確実に変形させることができ、良好な操作性を達成することができる。
【００２９】
【発明の実施の形態】
以下、本発明の実施形態を添付図面を参照して詳細に説明する。
【００３０】
図１は、本発明のキースイッチの第１実施形態を適用した電子機器を示す斜視図である。この電子機器は、例えば携帯端末装置であり、本実施形態のキースイッチ１を機器本体２に設け、表示装置３を蓋体４に設け、蓋体４を機器本体２の一辺に開閉自在に枢支したものである。
【００３１】
図２乃至図７は、本実施形態のキースイッチ１を示している。図２は、キースイッチ１を部分的に示す分解斜視図である。図３は、キースイッチ１を部分的に示す透視平面図である。図４及び図５は、図３のＡ−Ａに沿う断面図である。図６及び図７は、図３のＢ−Ｂに沿う断面図である。
【００３２】
本実施形態のキースイッチ１では、複数の椀状導体部材１１を固定シート１２の裏面に配列して貼り付け、固定シート１２を回路基板１３に重ね合わせている。そして、表裏に粘着剤が塗布されたスペーサ１４を固定シート１２上に載せ、スペーサ１４上に櫛歯状シート１５を重ね、固定シート１２、スペーサ１４、及び櫛歯状シート１５を相互に接着している。更に、裏面の一部に粘着剤が塗布されたキートップシート１６を櫛歯状シート１５に重ね合わせて貼り付けている。キートップシート１６裏面の粘着剤塗布範囲（図２の斜線で示す範囲）は、スペーサ１４に重なる範囲である。
【００３３】
キートップシート１６の各キートップ１６ａは、各椀状導体部材１１の上方に配置される。また、櫛歯状シート１５の各櫛歯１５ａの先端近傍は、各キートップ１６ａと各椀状導体部材１１間に介在し、各キートップ１６ａと各椀状導体部材１１の中央付近に位置決めされる。
【００３４】
この様な構成のキースイッチ１において、図５及び図７に示す様にキートップ１６ａが押下されると、櫛歯１５ａの支点Ｃ近傍部分が撓んで、櫛歯１５ａの先端近傍が下降し、櫛歯１５ａの先端近傍が椀状導体部材１１を押圧し、椀状導体部材１１が変形して、椀状導体部材１１の中央部が回路基板１３の導電パターンに接触し、これによりキースイッチ１としての役目が果たされる。また、キートップ１６ａが開放されると、椀状導体部材１１の弾性によりその形状が復帰し、これに伴って櫛歯１５ａの先端近傍が上昇し、キートップ１６ａも上昇して元の状態に戻る。
【００３５】
この様に本実施形態のキースイッチ１では、櫛歯１５ａの先端近傍がキートップ１６ａ裏面に配置されているため、椀状導体部材１１を押圧するための突起をキートップ１６ａ裏面に形成する必要がなく、キートップシート１６の裏面全体を平面状にすることができ、キートップシート１６の形状が複雑化せずに済む。また、櫛歯状シート１５は、安価な打ち抜き金型により打ち抜き成形することができる。このため、キースイッチ１のコストの低減を図ることができる。
【００３６】
また、櫛歯状シート１５の櫛歯１５ａの幅及び厚みは、椀状導体部材１１の径や高さに応じて適宜に定められている。これにより、キートップ１６ａが押下されたときに、櫛歯１５ａの先端近傍の下降により椀状導体部材１１が容易かつ確実に変形し、操作性（クリック感）が向上する。
【００３７】
図８乃至図１３は、本発明の第２実施形態のキースイッチ２１を示している。図８は、キースイッチ２１を部分的に示す分解斜視図である。図９は、キースイッチ２１を部分的に示す透視平面図である。図１０及び図１１は、図９のＡ−Ａに沿う断面図である。図１２及び図１３は、図９のＢ−Ｂに沿う断面図である。
【００３８】
本実施形態のキースイッチ２１は、図２乃至図７のキースイッチ１の代わりに、図１の電子機器に適用されるものである。このキースイッチ２１では、複数の椀状導体部材１１を固定シート１２の裏面に配列して貼り付け、固定シート１２をフレキシブルプリント基板（以下ＦＰＣと称する）２２に重ね合わせている。そして、高剛性のステンレス板２３を粘着剤や両面テープによりＦＰＣ２２の裏面に貼り付けて、ＦＰＣ２２の剛性をステンレス板２３により補っている。また、表裏に粘着剤が塗布されたスペーサ２５を固定シート１２上に載せ、スペーサ２５上に櫛歯状シート２６を重ね、固定シート１２、スペーサ２５、及び櫛歯状シート２６を相互に接着している。
【００３９】
更に、キートップシート２７の裏面に粘着剤層２９を介して保護シート３０を貼り付け、裏面の一部に粘着剤が塗布された保護シート３０を櫛歯状シート２６に重ね合わせて貼り付け、裏面の一部に粘着剤が塗布されたカバーシート２８をキートップシート２７に重ね合わせて貼り付け、キートップシート２７の各キートップ２７ａをカバーシート２８の各孔２８ａから突出させている。保護シート３０裏面及びカバーシート２８裏面の粘着剤塗布範囲（図９の斜線で示す範囲）は、スペーサ２５に重なる範囲である。
【００４０】
キートップシート２７は、透明な合成樹脂等からなり、その裏面に印刷を施され、各キートップ２７ａの名称等を印刷により表示している。また、キートップシート２７の裏面に適宜の厚みを有する粘着剤層２９を塗布し、この粘着剤層２９に保護シート３０を貼り付け、粘着剤層２９及び保護シート３０によりキートップシート２７裏面の印刷を保護している。更に、キートップシート２７、粘着剤層２９、及び保護シート３０には、各キートップ２７ａの外周に沿うそれぞれのスリット２７ｂを形成している。
【００４１】
カバーシート２８は、その表面に印刷を施されている。このカバーシート２８の印刷は、主に、キースイッチ２１の外観の品位を向上させるためのものである。
【００４２】
この様な構成のキースイッチ２１において、図１１及び図１３に示す様にキートップ２７ａが押下されると、キートップ２７ａ及び櫛歯２６ａの支点Ｄ近傍部分が撓んで、キートップ２７ａ全体及び櫛歯２６ａの先端近傍が下降し、櫛歯２６ａの先端近傍が椀状導体部材１１を押圧し、椀状導体部材１１が変形して、椀状導体部材１１の中央部がＦＰＣ２２の導電パターンに接触し、キースイッチ２１としての役目が果たされる。また、キートップ２７ａが開放されると、椀状導体部材１１の弾性によりその形状が復帰し、これに伴って櫛歯２６ａの先端近傍が上昇し、キートップ２７ａも上昇して元の状態に戻る。
【００４３】
この様に本実施形態のキースイッチ２１でも、図２乃至図７のキースイッチ１と同様に、キートップシート２７の裏面全体を平面状にすることができ、キートップシート２７の形状が複雑化せずに済む。また、櫛歯状シート２６は、安価な打ち抜き金型により打ち抜き成形することができる。このため、キースイッチ２１のコストの低減を図ることができる。
【００４４】
また、櫛歯状シート２６の櫛歯２６ａの幅及び厚みは、椀状導体部材１１の径や高さに応じて適宜に定められている。これにより、キートップ２７ａが押下されたときに、櫛歯２６ａの先端近傍の下降により椀状導体部材１１が容易かつ確実に変形し、操作性（クリック感）が向上する。
【００４５】
更に、キートップ２７ａの外周に沿うスリット２７ｂを形成していることから、キートップ２７ａを押下したときに、キートップ２７ａを含むスリット２７ｂの内側部分のみが下降することになり、キートップシート２７の全体が変形することがなく、キートップ２７ａを操作するときの抵抗感が弱まり、操作性（クリック感）がより向上する。
【００４６】
また、スリット２７ｂの幅を十分に広くしている。このため、スリット２７ｂの内側部分が上下動するときに、スリット２７ｂの対向する一対の辺が擦れ合わず、異常音が発生することがない。
【００４７】
更に、透明なキートップシート２７の裏面に印刷を施したり、カバーシート２８の表面に印刷を施しているため、キースイッチ２１の外観の品位が良好なものとなっている。カバーシート２８がキートップシート２７とは別体であり、カバーシート２８がキートップシート２７の各スリット２７ｂを覆い隠していることによっても、キースイッチ２１の外観の品位が良好なものとなっている。
【００４８】
また、粘着剤層２９及び保護シート３０をキートップシート２７裏面に重ねているため、キートップ２７ａを押下したときに、櫛歯２６ａがキートップシート２７裏面に直接当接せず、キートップシート２７裏面の印刷が保護される。仮に、櫛歯２６ａがキートップ２７ａ裏面に直接当接すると、キートップシート２７裏面の印刷に傷が付いたり、キートップ２７ａが変形して、印刷内容が変形したり、キートップシート２７下部の櫛歯状シート２６の押痕が印刷層を介し外観に現れる等の現象が起こってしまう。
【００４９】
更に、高剛性のステンレス板２３をＦＰＣ２２の裏面に貼り付けて、ＦＰＣ２２の剛性をステンレス板２３により補っている。ＦＰＣ２２とステンレス板２３を合わせても、これらの厚みが通常の回路基板よりも薄いため、キースイッチ２２を薄くかつ高い剛性のものとすることができる。
【００５０】
図１６乃至図２１は、本発明の第３実施形態のキースイッチ３１を示している。図１６は、キースイッチ３１を部分的に示す分解斜視図である。図１７は、キースイッチ３１を部分的に示す透視平面図である。図１８及び図１９は、図１７のＡ−Ａに沿う断面図である。図２０及び図２１は、図１７のＢ−Ｂに沿う断面図である。
【００５１】
本実施形態のキースイッチ３１は、図２乃至図７のキースイッチ１の代わりに、図１の電子機器に適用されるものである。このキースイッチ３１では、各椀状導体部材１１を固定シート１２の裏面に配列して貼り付け、固定シート１２を回路基板１３に重ね合わせている。そして、表裏に粘着剤が塗布されたスペーサ１４を固定シート１２上に載せ、スペーサ１４上に櫛歯状シート１５を重ね、固定シート１２、スペーサ１４、及び櫛歯状シート１５を相互に接着している。
【００５２】
更に、キートップシート１６の各キートップ１６ａと櫛歯状シート１５の各櫛歯１５ａの先端近傍間にそれぞれの硬質スペーサ３２を介在させた状態で、裏面の一部に粘着剤が塗布されたキートップシート１６を櫛歯状シート１５に重ね合わせて貼り付けている。キートップシート１６裏面の粘着剤塗布範囲（図１７の斜線で示す範囲）は、各硬質スペーサ３２及びスペーサ１４に重なる範囲である。
【００５３】
キートップシート１６の各キートップ１６ａは、各椀状導体部材１１の上方に配置される。また、櫛歯状シート１５の各櫛歯１５ａの先端近傍は、各硬質スペーサ３２と各椀状導体部材１１間に介在し、各キートップ１６ａ、各硬質スペーサ３２、及び各椀状導体部材１１の中央付近に位置決めされる。
【００５４】
この様な構成のキースイッチ３１において、図１９及び図２１に示す様にキートップ１６ａが押下されると、この押下の力が硬質スペーサ３２を介して櫛歯状シート１５の櫛歯１５ａの先端近傍に伝達され、櫛歯１５ａの支点Ｃ近傍部分が撓んで、櫛歯１５ａの先端近傍が下降し、櫛歯１５ａの先端近傍が椀状導体部材１１を押圧し、椀状導体部材１１が変形して、椀状導体部材１１の中央部が回路基板１３の導電パターンに接触し、これによりキースイッチ３１としての役目が果たされる。硬質スペーサ３２は、変形し難いため、キートップ１６ａからの押下の力を櫛歯１５ａの先端近傍を介して椀状導体部材１１へと確実に伝達し、椀状導体部材１１を確実に変形させる。これにより、良好な操作性（クリック感）を達成することができる。
【００５５】
また、キートップ１６ａが開放されると、椀状導体部材１１の弾性によりその形状が復帰し、これに伴って櫛歯１５ａの先端近傍が上昇し、キートップ１６ａも上昇して元の状態に戻る。
【００５６】
この様に本実施形態のキースイッチ３１では、キートップ１６ａが押下されると、この押下の力が硬質スペーサ３２を介して櫛歯状シート１５の櫛歯１５ａの先端近傍及び椀状導体部材１１へと確実に伝達されて、椀状導体部材１１が確実に変形するので、良好な操作性（クリック感）を達成することができる。
【００５７】
また、合成樹脂製のキートップ１６ａが薄化もしくは大型化されて、キートップ１６ａが変形し易くなったとしても、硬質スペーサ３２によりキートップ１６ａの変形が抑えられるので、良好な操作性を維持することができる。更に、キートップ１６ａの外周縁が変形しても、適宜の厚みの硬質スペーサ３２が櫛歯状シート１５の櫛歯１５ａの先端近傍及び椀状導体部材１１のストロークを確保し、良好なキー入力を行なうことができる。
【００５８】
図２２乃至図２７は、本発明の第４実施形態のキースイッチ４１を示している。図２２は、キースイッチ４１を部分的に示す分解斜視図である。図２３は、キースイッチ４１を部分的に示す透視平面図である。図２４及び図２５は、図２３のＡ−Ａに沿う断面図である。図２６及び図２７は、図２３のＢ−Ｂに沿う断面図である。
【００５９】
本実施形態のキースイッチ４１は、図２乃至図７のキースイッチ１の代わりに、図１の電子機器に適用されるものである。このキースイッチ４１では、各椀状導体部材１１を固定シート１２の裏面に配列して貼り付け、固定シート１２をＦＰＣ２２に重ね合わせている。そして、高剛性のステンレス板２３を粘着剤や両面テープによりＦＰＣ２２の裏面に貼り付けて、ＦＰＣ２２の剛性をステンレス板２３により補っている。また、表裏に粘着剤が塗布されたスペーサ２５を固定シート１２上に載せ、スペーサ２５上に櫛歯状シート２６を重ね、固定シート１２、スペーサ２５、及び櫛歯状シート２６を相互に接着している。
【００６０】
櫛歯状シート２６の各櫛歯２６ａの先端下側には、ＵＶ硬化樹脂からなる突起２６ｂを形成している。各櫛歯２６ａの先端下側の突起２６ｂは、各椀状導体部材１１に当接する。
【００６１】
更に、キートップシート２７の裏面に粘着剤層２９を介して保護シート３０を貼り付け、裏面の一部に粘着剤が塗布された保護シート３０を櫛歯状シート２６に重ね合わせて貼り付け、裏面の一部に粘着剤が塗布されたカバーシート２８をキートップシート２７に重ね合わせて貼り付け、キートップシート２７の各キートップ２７ａをカバーシート２８の各孔２８ａから突出させている。保護シート３０裏面及びカバーシート２８裏面の粘着剤塗布範囲（図２３の斜線で示す範囲）は、スペーサ２５に重なる範囲である。
【００６２】
キートップシート２７は、透明な合成樹脂等からなり、その裏面に印刷を施され、各キートップ２７ａの名称等を印刷により表示している。また、キートップシート２７の裏面に適宜の厚みを有する粘着剤層２９を塗布し、この粘着剤層２９に保護シート３０を貼り付け、粘着剤層２９及び保護シート３０によりキートップシート２７裏面の印刷を保護している。更に、キートップシート２７、粘着剤層２９、及び保護シート３０には、各キートップ２７ａの外周に沿うそれぞれのスリット２７ｂを形成している。
【００６３】
カバーシート２８は、その表面に印刷を施されている。このカバーシート２８の印刷は、主に、キースイッチ４１の外観の品位を向上させるためのものである。
【００６４】
この様な構成のキースイッチ４１において、図２５及び図２７に示す様にキートップ２７ａが押下されると、キートップ２７ａ及び櫛歯２６ａの支点Ｄ近傍部分が撓んで、キートップ２７ａ全体及び櫛歯２６ａの先端近傍が下降し、櫛歯２６ａの先端下側の突起２６ｂが椀状導体部材１１を押圧し、椀状導体部材１１が変形して、椀状導体部材１１の中央部がＦＰＣ２２の導電パターンに接触し、キースイッチ４１としての役目が果たされる。
【００６５】
また、キートップ２７ａが開放されると、椀状導体部材１１の弾性によりその形状が復帰し、これに伴って櫛歯２６ａの先端近傍が上昇し、キートップ２７ａも上昇して元の状態に戻る。
【００６６】
この様に本実施形態のキースイッチ４１では、キートップ２７ａが押下されると、この押下の力が櫛歯状シート２６の櫛歯２６ａの先端下側の突起２６ｂを介して椀状導体部材１１へと確実に伝達されて、椀状導体部材１１が確実に変形する。これにより、良好な操作性（クリック感）を達成することができる。また、キートップ２７ａの外周縁が押下されても、この押下の力が櫛歯状シート２６の櫛歯２６ａの先端下側の突起２６ｂに集中するので、椀状導体部材１１が確実に変形する。
【００６７】
また、キートップ２７ａの外周に沿うスリット２７ｂを形成していることから、キートップ２７ａを押下したときに、キートップ２７ａを含むスリット２７ｂの内側部分のみが下降することになり、キートップシート２７の全体が変形することがなく、キートップ２７ａを操作するときの抵抗感が弱まり、操作性（クリック感）がより向上する。
【００６８】
更に、透明なキートップシート２７の裏面に印刷を施したり、カバーシート２８の表面に印刷を施しているため、キースイッチ４１の外観の品位が良好なものとなっている。カバーシート２８がキートップシート２７とは別体であり、カバーシート２８がキートップシート２７の各スリット２７ｂを覆い隠していることによっても、キースイッチ４１の外観の品位が良好なものとなっている。
【００６９】
図２８乃至図３３は、本発明の第５実施形態のキースイッチ５１を示している。図２８は、キースイッチ５１を部分的に示す分解斜視図である。図２９は、キースイッチ５１を部分的に示す透視平面図である。図３０及び図３１は、図２９のＡ−Ａに沿う断面図である。図３２及び図３３は、図２９のＢ−Ｂに沿う断面図である。
【００７０】
本実施形態のキースイッチ５１は、図２乃至図７のキースイッチ１の代わりに、図１の電子機器に適用されるものである。このキースイッチ５１では、各椀状導体部材１１を固定シート１２の裏面に配列して貼り付け、固定シート１２をＦＰＣ２２に重ね合わせ、高剛性のステンレス板２３を粘着剤や両面テープによりＦＰＣ２２の裏面に貼り付けている。また、表裏に粘着剤が塗布されたスペーサ２５を固定シート１２上に載せ、スペーサ２５上にキートップシート２７を重ね、固定シート１２、スペーサ２５、及びキートップシート２７を相互に接着している。
【００７１】
更に、キートップシート２７の裏面に粘着剤層２９を介して保護シート３０を貼り付け、裏面の一部に粘着剤が塗布されたカバーシート２８をキートップシート２７に重ね合わせて貼り付け、キートップシート２７の各キートップ２７ａをカバーシート２８の各孔２８ａから突出させている。保護シート３０裏面及びカバーシート２８裏面の粘着剤塗布範囲（図２９の斜線で示す範囲）は、スペーサ２５に重なる範囲である。
【００７２】
また、保護シート３０の裏面にそれぞれの突起３０ａを形成し、各突起３０ａをキートップシート２７の各キートップ２７ａと各椀状導体部材１１間に介在させ、各突起３０ａを各椀状導体部材１１に当接させている。
【００７３】
キートップシート２７は、透明な合成樹脂等からなり、その裏面に印刷を施され、各キートップ２７ａの名称等を印刷により表示している。また、キートップシート２７の裏面に適宜の厚みを有する粘着剤層２９を塗布し、この粘着剤層２９に保護シート３０を貼り付け、粘着剤層２９及び保護シート３０によりキートップシート２７裏面の印刷を保護している。更に、キートップシート２７、粘着剤層２９、及び保護シート３０には、各キートップ２７ａの外周に沿うそれぞれのスリット２７ｂを形成している。
【００７４】
この様な構成のキースイッチ５１において、図３１及び図３３に示す様にキートップ２７ａが押下されると、キートップ２７ａを含むスリット２７ｂの内側部分が下降し、キートップ２７ａ裏面の突起３０ａが椀状導体部材１１を押圧し、椀状導体部材１１が変形して、椀状導体部材１１の中央部がＦＰＣ２２の導電パターンに接触し、キースイッチ５１としての役目が果たされる。
【００７５】
また、キートップ２７ａが開放されると、椀状導体部材１１の弾性によりその形状が復帰し、これに伴ってキートップ２７ａが上昇して元の状態に戻る。
【００７６】
この様に本実施形態のキースイッチ５１では、キートップ２７ａが押下されると、この押下の力がキートップ２７ａ裏面の突起３０ａを介して椀状導体部材１１へと確実に伝達されて、椀状導体部材１１が確実に変形する。これにより、良好な操作性（クリック感）を達成することができる。また、キートップ２７ａの外周縁が押下されても、この押下の力がキートップ２７ａ裏面の突起３０ａに集中するので、椀状導体部材１１が確実に変形する。
【００７７】
図３４乃至図３９は、本発明の第６実施形態のキースイッチ６１を示している。図３４は、キースイッチ６１を部分的に示す分解斜視図である。図３５は、キースイッチ６１を部分的に示す透視平面図である。図３６及び図３７は、図３５のＡ−Ａに沿う断面図である。図３８及び図３９は、図３５のＢ−Ｂに沿う断面図である。
【００７８】
本実施形態のキースイッチ６１は、図２乃至図７のキースイッチ１の代わりに、図１の電子機器に適用されるものである。このキースイッチ６１では、各椀状導体部材１１を固定シート１２の裏面に配列して貼り付け、固定シート１２をＦＰＣ２２に重ね合わせ、高剛性のステンレス板２３を粘着剤や両面テープによりＦＰＣ２２の裏面に貼り付けている。また、表裏に粘着剤が塗布されたスペーサ２５を固定シート１２上に載せ、スペーサ２５上にキートップシート６２を重ね、固定シート１２、スペーサ２５、及びキートップシート６２を相互に接着している。
【００７９】
また、各椀状導体部材１１のそれぞれ中心部位で、キートップシート６２にそれぞれの孔６２ａを形成し、各キートップ６３下面の突起６３ａをキートップシート６２に各孔６２ａに通して、各キートップ６３をキートップシート６２に接着し、各キートップ６３下面の突起６３ａを各椀状導体部材１１に当接させている。
【００８０】
更に、裏面の一部に粘着剤が塗布されたカバーシート２８をキートップシート６２に重ね合わせて貼り付け、キートップシート６２の各キートップ６３をカバーシート２８の各孔２８ａから突出させている。カバーシート２８裏面の粘着剤塗布範囲（図３５の斜線で示す範囲）は、スペーサ２５に重なる範囲である。
【００８１】
キートップシート６２は、透明な合成樹脂等からなり、その裏面に印刷を施され、各キートップ６３の名称等を印刷により表示している。また、キートップシート６２には、各キートップ６３の外周に沿うそれぞれのスリット６２ｂを形成している。各キートップ６３は、ＡＢＳ等の合成樹脂からなり、その表面にキーの名称等を塗装もしくは印刷されている。
【００８２】
この様な構成のキースイッチ６１において、図３７及び図３９に示す様にキートップ６３が押下されると、キートップ６３を含むスリット６２ｂの内側部分が下降し、キートップ６３裏面の突起６３ａが椀状導体部材１１を押圧し、椀状導体部材１１が変形して、椀状導体部材１１の中央部がＦＰＣ２２の導電パターンに接触し、キースイッチ６１としての役目が果たされる。
【００８３】
また、キートップ６３が開放されると、椀状導体部材１１の弾性によりその形状が復帰し、これに伴ってキートップ６３が上昇して元の状態に戻る。
【００８４】
この様に本実施形態のキースイッチ６１では、キートップ６３が押下されると、この押下の力がキートップ６３裏面の突起６３ａを介して椀状導体部材１１へと確実に伝達されて、椀状導体部材１１が確実に変形する。これにより、良好な操作性（クリック感）を達成することができる。また、キートップ６３の外周縁が押下されても、この押下の力がキートップ６３裏面の突起６３ａに集中するので、椀状導体部材１１が確実に変形する。
【００８５】
尚、本発明は、上記各実施形態に限定されるものではなく、多様に変形することができる。例えば、櫛歯状シートの各櫛歯やキートップシートの各キートップの形状、配列、及び材質等を適宜に変更しても良い。
【００８６】
【発明の効果】
以上説明した様に本発明によれば、櫛歯状シートの各櫛歯部材を各椀状導体部材と各キートップ間に介在させていることから、キートップが押下されると、キートップが櫛歯部材を介して椀状導体部材を押圧し、椀状導体部材が変形して、椀状導体部材の中央部が回路基板の導電パターンに接触する。キートップは、その裏面が平面状であっても良く、キートップシート及びキートップの形状が複雑化することはない。また、櫛歯状シートは、各櫛歯部材を有するものであって、安価な打ち抜き金型により打ち抜き成形することができる。このため、コストの低減を図ることができる。
【００８７】
また、各キートップの外周に沿うそれぞれのスリットをキートップシートに形成しているので、キートップが押下されたときに、キートップを含むスリットの内側部分のみが下降し、キートップを操作するときの抵抗感が弱まり、操作性（クリック感）が向上する。また、各スリットをカバーシートにより覆っているために、外観の品位を向上させることができる。
【００８８】
更に、スリットの幅を広げているので、スリットの対向する一対の辺が擦れ合わず、異常音の発生を防止することができる。
【００８９】
また、透明なキートップシートの裏面に印刷を施しているので、キートップの種類等を表示することができ、外観の品位を向上させることができる。また、キートップシートの裏面に保護シートを貼り付けているので、キートップシート裏面が櫛歯部材に直接当接せず、キートップシート裏面の印刷を保護することができる。
【００９０】
更に、フレキシブルプリント基板の裏面に剛体板を貼り付けて、回路基板そのものの剛性を高くしている。このため、キースイッチを薄くかつ高い剛性のものとすることができる。
【００９１】
一方、櫛歯状シートの各櫛歯部材及び各硬質スペーサを相互に重ね合わせて各椀状導体部材と各キートップ間に介在させたり、各椀状導体部材に当接するそれぞれの突起を櫛歯状シートの各櫛歯部材に設けたり、各椀状導体部材に当接するそれぞれの突起を各キートップの裏面に設けているので、キートップが押下されたときに、椀状導体部材を確実に変形させることができ、良好な操作性を達成することができる。
【図面の簡単な説明】
【図１】本発明のキースイッチの第１実施形態を適用した電子機器を示す斜視図である。
【図２】本発明の第１実施形態のキースイッチを部分的に示す分解斜視図である。
【図３】図２のキースイッチを部分的に示す透視平面図である。
【図４】図３のＡ−Ａに沿う断面図である。
【図５】キースイッチを押下したときの図３のＡ−Ａに沿う断面図である。
【図６】図３のＢ−Ｂに沿う断面図である。
【図７】キースイッチを押下したときの図３のＢ−Ｂに沿う断面図である。
【図８】本発明の第２実施形態のキースイッチを部分的に示す分解斜視図である。
【図９】図８のキースイッチを部分的に示す透視平面図である。
【図１０】図９のＡ−Ａに沿う断面図である。
【図１１】キースイッチを押下したときの図９のＡ−Ａに沿う断面図である。
【図１２】図９のＢ−Ｂに沿う断面図である。
【図１３】キースイッチを押下したときの図９のＢ−Ｂに沿う断面図である。
【図１４】従来のキースイッチを示す平面図である。
【図１５】図１４のＡ−Ａに沿う断面図である。
【図１６】本発明の第３実施形態のキースイッチを部分的に示す分解斜視図である。
【図１７】図１６のキースイッチを部分的に示す透視平面図である。
【図１８】図１７のＡ−Ａに沿う断面図である。
【図１９】キースイッチを押下したときの図１７のＡ−Ａに沿う断面図である。
【図２０】図１７のＢ−Ｂに沿う断面図である。
【図２１】キースイッチを押下したときの図１７のＢ−Ｂに沿う断面図である。
【図２２】本発明の第４実施形態のキースイッチを部分的に示す分解斜視図である。
【図２３】図２２のキースイッチを部分的に示す透視平面図である。
【図２４】図２３のＡ−Ａに沿う断面図である。
【図２５】キースイッチを押下したときの図２３のＡ−Ａに沿う断面図である。
【図２６】図２３のＢ−Ｂに沿う断面図である。
【図２７】キースイッチを押下したときの図２３のＢ−Ｂに沿う断面図である。
【図２８】本発明の第５実施形態のキースイッチを部分的に示す分解斜視図である。
【図２９】図２８のキースイッチを部分的に示す透視平面図である。
【図３０】図２９のＡ−Ａに沿う断面図である。
【図３１】キースイッチを押下したときの図２９のＡ−Ａに沿う断面図である。
【図３２】図２９のＢ−Ｂに沿う断面図である。
【図３３】キースイッチを押下したときの図２９のＢ−Ｂに沿う断面図である。
【図３４】本発明の第６実施形態のキースイッチを部分的に示す分解斜視図である。
【図３５】図３４のキースイッチを部分的に示す透視平面図である。
【図３６】図３５のＡ−Ａに沿う断面図である。
【図３７】キースイッチを押下したときの図３５のＡ−Ａに沿う断面図である。
【図３８】図３５のＢ−Ｂに沿う断面図である。
【図３９】キースイッチを押下したときの図３５のＢ−Ｂに沿う断面図である。
【符号の説明】
１，２１，３１，４１，５１，６１    キースイッチ
２    機器本体
３    表示装置
４    蓋体
１１    椀状導体部材
１２    固定シート
１３    回路基板
１４    スペーサ
１５    櫛歯状シート
１６    キートップシート
２２    フレキシブルプリント基板（ＦＰＣ）
２３    ステンレス板
２５    スペーサ
２６    櫛歯状シート
２７    キートップシート
２８    カバーシート
２９    粘着剤層
３０    保護シート
【図１】
2004214163.tif 000003
【図２】
2004214163.tif 000004
【図３】
2004214163.tif 000005
【図４】
2004214163.tif 000006
【図５】
2004214163.tif 000007
【図６】
2004214163.tif 000008
【図７】
2004214163.tif 000009
【図８】
2004214163.tif 000010
【図９】
2004214163.tif 000011
【図１０】
2004214163.tif 000012
【図１１】
2004214163.tif 000013
【図１２】
2004214163.tif 000014
【図１３】
2004214163.tif 000015
【図１４】
2004214163.tif 000016
【図１５】
2004214163.tif 000017
【図１６】
2004214163.tif 000018
【図１７】
2004214163.tif 000019
【図１８】
2004214163.tif 000020
【図１９】
2004214163.tif 000021
【図２０】
2004214163.tif 000022
【図２１】
2004214163.tif 000023
【図２２】
2004214163.tif 000024
【図２３】
2004214163.tif 000025
【図２４】
2004214163.tif 000026
【図２５】
2004214163.tif 000027
【図２６】
2004214163.tif 000028
【図２７】
2004214163.tif 000029
【図２８】
2004214163.tif 000030
【図２９】
2004214163.tif 000031
【図３０】
2004214163.tif 000032
【図３１】
2004214163.tif 000033
【図３２】
2004214163.tif 000034
【図３３】
2004214163.tif 000035
【図３４】
2004214163.tif 000036
【図３５】
2004214163.tif 000037
【図３６】
2004214163.tif 000038
【図３７】
2004214163.tif 000039
【図３８】
2004214163.tif 000040
【図３９】
2004214163.tif 000041